(57)【要約】【課題】  灯具の脱落がより確実に防止される照明器具を提供する。【解決手段】  支持金具２と灯具３とを備える。灯具３は、支持金具２によって支持される取付部５３を有する灯具取付板５と、発光ダイオードを有して灯具取付板５に固定された灯具本体４とを備える。支持金具２は、取付部５３を支持する支持部２３を、取付部５３毎に２個ずつ有する。各取付部５３には、それぞれ２本の取付ねじ６が、頭部６１を下方に向けて螺合している。各支持部２３には、上下方向に交差する所定方向から取付ねじ６の胴部６２が係入する切り欠き２４と、抜け止め突起２５とが設けられている。抜け止め突起２５は、取付ねじ６が締め付けられた状態では、上記所定方向から取付ねじ６の頭部６１に当接することで切り欠き２４からの取付ねじ６の離脱を禁止する。抜け止め突起２５がない場合に比べ、灯具３の脱落がより確実に防止される。【選択図】図１
2014089828.tif 000002
【特許請求の範囲】
【請求項１】
電気的な光源を保持した灯具と、前記灯具を支持する支持部を有する支持金具とを備え、
前記灯具は、前記支持部に支持される取付部を有する灯具取付板と、前記光源を保持して前記灯具取付板に固定された灯具本体と、頭部を下方に向けて前記取付部に螺合した取付ねじとを有し、
前記支持部には、前記取付ねじの胴部が係入する切り欠きと、前記取付ねじが締め付けられた状態では前記取付ねじの頭部に当接することで前記切り欠きからの前記取付ねじの離脱を防止する抜け止め突起とが設けられていることを特徴とする照明器具。
【請求項２】
前記灯具取付板は金属板からなり、厚さ方向を上下方向に向けた本体部と、少なくとも一部の厚さ方向を上下方向に交差する方向に向けた折曲部とを有することを特徴とする請求項１記載の照明器具。
【発明の詳細な説明】
【技術分野】
【０００１】
本発明は、照明器具に関するものである。
【背景技術】
【０００２】
従来から、光源を保持した灯具と、天井に固定されて灯具を支持する支持金具とを備える照明器具が提供されている（例えば、特許文献１参照）。
【０００３】
すなわち、支持金具において灯具を支持する支持部には水平方向に開口した切り欠きが設けられており、灯具は、上記の切り欠きの周囲において支持される被支持部を有する。また、灯具において被支持部に連結された連結部は上記の切り欠きを通じて下方に引き出される。
【先行技術文献】
【特許文献】
【０００４】
【特許文献１】特開平５−９４７１０号公報
【発明の概要】
【発明が解決しようとする課題】
【０００５】
光源として発光ダイオードが用いられる場合、発光ダイオードは他の光源よりも放熱の重要性が高いので、ヒートシンクや放熱フィン等により灯具の重量が大きくなりやすい。そして、支持部の強度に対して灯具の重量が大きい場合、灯具の重量により支持部が弾性変形し、上記の切り欠きから上記の連結部が離脱して灯具が脱落してしまうことが考えられる。
【０００６】
本発明は、上記事由に鑑みて為されたものであり、その目的は、灯具の脱落がより確実に防止される照明器具を提供することにある。
【課題を解決するための手段】
【０００７】
本発明は、灯具と、前記灯具を支持する支持部を有する支持金具とを備え、前記灯具は、前記支持部に支持される取付部を有する灯具取付板と、光源を保持して前記灯具取付板に固定された灯具本体と、頭部を下方に向けて前記取付部に螺合した取付ねじとを有し、前記支持部には、前記取付ねじの胴部が係入する切り欠きと、前記取付ねじが締め付けられた状態では前記取付ねじの頭部に当接することで前記切り欠きからの前記取付ねじの離脱を防止する抜け止め突起とが設けられていることを特徴とする。
【０００８】
上記の照明器具において、前記灯具取付板は金属板からなり、厚さ方向を上下方向に向けた本体部と、少なくとも一部の厚さ方向を上下方向に交差する方向に向けた折曲部とを有することが望ましい。
【発明の効果】
【０００９】
上記構成によれば、抜け止め突起が設けられない場合に比べ、灯具の脱落がより確実に防止される。
【図面の簡単な説明】
【００１０】
【図１】本発明の実施形態の要部を示す斜視図である。
【図２】同上を示す分解斜視図である。
【図３】同上と化粧板と反射枠とを示す分解斜視図である。
【図４】同上の支持金具を示す斜視図である。
【図５】同上の支持金具の要部を示す斜視図である。
【図６】同上の灯具取付板を示す斜視図である。
【図７】同上の灯具取付板の要部を示す斜視図である。
【図８】同上において灯具が支持金具に取り付けられる過程を示す斜視図である。
【図９】同上の要部を示す斜視図である。
【図１０】同上において灯具が支持金具に取り付けられた状態を示す斜視図である。
【発明を実施するための形態】
【００１１】
以下、本発明を実施するための最良の形態について、図面を参照しながら説明する。
【００１２】
本実施形態は、図２及び図３に示すように、天井（図示せず）に固定される器具本体１と、器具本体１に取付けた（つまり機械的に結合した）支持金具２と、支持金具２に支持される灯具３とを備える。
【００１３】
以下、図２に示したＡＢＣＤＥＦ方向を、上下左右前後方向と呼ぶ。
【００１４】
器具本体１は、直方体形状の回路収納部１１と、回路収納部１１の下側に結合した天板１２と、天板１２の前後両端からそれぞれ下方に突設された脚部１３とを有する。各脚部１３の下端部は、それぞれ、軸方向を上下方向に向けた円筒形状の取付枠１４の内周面に固定されている。さらに、取付枠１４において中心軸周りに互いに１８０°位置をずらした２箇所からは、それぞれ吊下げアーム１５が上方に突設されている。各吊下げアーム１５の上端には厚さ方向を上下方向に向けた被支持部１５１が設けられており、各被支持部１５１にはそれぞれ上下に貫通した貫通穴であるボルト挿通穴１５０が設けられている。各ボルト挿通穴１５０には、それぞれ、天井から垂下された吊下げボルト（図示せず）が１本ずつ挿通される。上記の各吊下げボルトには、それぞれ被支持部１５１の下側においてナット（図示せず）が取り付けられる。すなわち、器具本体１は、各被支持部１５１において上記のナットに支持される。回路収納部１１と天板１２と脚部１３と取付枠１４と吊下げアーム１５とはそれぞれ例えば金属板からなり、カシメやねじ止めといった適宜の手段によって互いに結合する。
【００１５】
また、灯具３の下側には、軸方向を上下方向に向けた筒形状の反射枠７１が取り付けられる。反射枠７１は、全体として、下方に向かって内径及び外径が大きくされた円錐台形状であって、灯具３から下方に出射した光を内周面において反射する。さらに、反射板７１の外周面において１８０°ずつ位置をずらした２箇所には、それぞれねじりコイルばねからなるキックばね７２が取り付けられている。器具本体１の取付枠１４の内周面において１８０°ずつ位置をずらした２箇所には、取付枠１４の周方向に対向する支持片１６が１組ずつ設けられており、各キックばね７２の両端部がそれぞれ支持片１６に弾接することで、反射枠７１は器具本体１に支持される。さらに、反射枠７１と灯具３との間には、灯具の光を通過させる４個の窓部７３０を有する化粧板７３が介装される。窓部７３０は貫通穴であってもよいし、透光性を有する材料で構成されていてもよい。
【００１６】
以下、本発明の特徴部分である、支持金具２と灯具３とについて説明する。
【００１７】
支持金具２は、例えば金属板に打ち抜き加工と曲げ加工とが施されたものであり、図４に示すように、左右に長い長方形状であって厚さ方向を上下方向に向けて回路収納部１１と天板１２とに挟まれる形で器具本体１に結合する本体部２１を有する。つまり、支持金具２は、器具本体１を介して天井に固定される。また、支持金具２は、本体部２１の長手方向（左右方向）の両端からそれぞれ下方に突設された腕部２２と、各腕部２２の幅方向（前後方向）の両端からそれぞれ左右方向の内向きに突設された合計４個の支持部２３とを有する。各支持部２３は、それぞれ、図５に示すように、全ての支持部２３で共通の方向である前方（図５での右下方）に開口した切り欠き２４と、切り欠き２４の前側であって左右方向の内側から下方に突設された抜け止め突起２５とを有する。
【００１８】
灯具３は、それぞれ光源である発光ダイオード（図示せず）を保持した４個の灯具本体４と、各灯具本体４がそれぞれ結合して支持金具２の支持部２３に支持される灯具取付板５とを備える。
【００１９】
各灯具本体４は、それぞれ、発光ダイオードの光を下方へ反射させる円錐台形状の内周面を有する反射体４１と、発光ダイオードに熱的に接続された放熱フィン４２と、電線を接続可能な回路接続部４３とを有する。ここで、回路収納部１１には、電源線（図示せず）を介して外部の電源に電気的に接続される電源接続部１７が保持されている。さらに、回路収納部１１には、上記の電源線と電源接続部１７とを介して上記の電源から入力された電力を適宜の直流電源に変換する電源回路（図示せず）が収納されている。各灯具本体４の発光ダイオードは、回路接続部４３に接続される電線（図示せず）を介して上記の電源回路に電気的に接続され、電源回路から入力される直流電力によって点灯する。上記のような電源回路は周知技術で実現可能であるので図示並びに詳細な説明は省略する。また、上記の電源接続部１７と回路接続部４３とは、それぞれ、周知のコネクタを用いて実現してもよいし、速結端子等の周知の端子構造を用いて実現してもよい。さらに、器具本体１の天板１２と支持金具２の本体部２１とには互いに連通する貫通穴である電線挿通穴１２０，２０が設けられており、電源回路と灯具本体４とを接続する上記の電線は電線挿通穴１２０，２０に挿通される。
【００２０】
灯具取付板５は例えば金属板からなり、各灯具本体４と灯具取付板５との結合は、例えばねじ止め等の適宜の手段によって実現される。
【００２１】
灯具取付板５は、図６に示すように、厚さ方向を上下方向に向けた本体部５１と、本体部５１の前後両端部からそれぞれ下方に突設された補強部５２と、本体部５１の左右両端部からそれぞれ上方に突設された取付部５３とを有する。本体部５１には、灯具本体４に一対一に対応して１個ずつの灯具本体４の光を下方に出射させる貫通穴である４個の窓穴５０が設けられている。また、補強部５２は左右方向から見てＵ字形状とされ、取付部５３は前後方向から見て逆Ｕ字形状とされている。つまり、補強部５２の前後両端部と、取付部５３の左右両端部とは、それぞれ、厚さ方向を、本体部５１の厚さ方向（上下方向）に交差する方向である前後方向または左右方向に向けている。補強部５２や取付部５３のような折曲部が設けられていることで、灯具取付板５が折曲部を有さない場合に比べ、灯具取付板５の機械的強度が向上している。
【００２２】
また、各取付部５３の前後両端部において厚さ方向を上下方向に向けた部位には、それぞれ、図７に示すように１本ずつの取付ねじ６が、軸方向を上下方向に向け且つ頭部６１を下方に向けて螺合している。
【００２３】
灯具取付板５は、取付ねじ６が螺合した各部位において、それぞれ支持金具２の支持部２３に支持される。
【００２４】
さらに、各取付部５３の後端部には、左右方向の外側と後方とに解放された切り欠き５３１が設けられている。後側の取付ねじ６の頭部６１は、左右方向の外側から見て切り欠き５３１内に露出する。
【００２５】
また、各取付部５３の前端部には、前側の取付ねじ６１の後側から左右方向の外側にかけて開口した導入穴５３２が設けられている。
【００２６】
支持金具２に灯具３を支持させる際には、まず、抜け止め突起２５を通過させることができる隙間が取付ねじ６の頭部６１と取付部５３の下面との間に空く程度まで、各取付ねじ６を緩める。その後、図８に示すように前側の支持部２３を導入穴５３２に上方から導入するとともに、後側の支持部２３を取付部５３の後側やや下方に導入する。次に、図８に矢印Ａ１で示すように、灯具３を支持金具２に対して後方に変位させ、各取付ねじ６の胴部６２をそれぞれ支持部２３の切り欠き２４の奥まで係入させる。すると、各支持部２３はそれぞれ取付部５３の下側に入り込んで取付部５３を支持する。最後に、各取付ねじ６をそれぞれ締め付ける。すると、図１及び図９に示すように各取付ねじ６の頭部６１がそれぞれ抜け止め突起２５に後側から当接することで、支持金具２に対する灯具３の変位であって前方への変位（すなわち、切り欠き２４からの取付ねじ６の離脱）が防止される。ここにおいて、図１０に示すように、支持金具２に対する灯具３の取付が完了する。
【００２７】
上記構成によれば、支持金具２に対する灯具３の着脱時には取付ねじ６を緩めることで取付ねじ６と抜け止め突起２５との干渉が避けられる。また、支持金具２に対する灯具３の取付が完了し取付ねじ６が締め付けられた状態では、抜け止め突起２５が取付ねじ６の頭部６１に当接することで切り欠き２４からの取付ねじ６の離脱が防止される。切り欠き２４から取付ねじ６が離脱しない限りは灯具３の脱落（すなわち、支持部２３からの取付部５３の脱落）は発生しないから、上記のように切り欠き２４からの取付ねじ６の離脱が防止されることで灯具３の脱落が防止される。すなわち、抜け止め突起２５が設けられない場合に比べ、灯具３の脱落がより確実に防止される。
【符号の説明】
【００２８】
２  支持金具
３  灯具
４  灯具本体
５  灯具取付板
６  取付ねじ
２３  支持部
２４  切り欠き
２５  抜け止め突起
５１  本体部
５２  補強部（折曲部）
５３  取付部（折曲部を兼ねる）
６１  頭部
６２  胴部
【図１】
2014089828.tif 000003
【図２】
2014089828.tif 000004
【図３】
2014089828.tif 000005
【図４】
2014089828.tif 000006
【図５】
2014089828.tif 000007
【図６】
2014089828.tif 000008
【図７】
2014089828.tif 000009
【図８】
2014089828.tif 000010
【図９】
2014089828.tif 000011
【図１０】
2014089828.tif 000012